(57)【特許請求の範囲】
【請求項１】
低電力ノード（ＬＰＮ）のどの接続されたユーザ機器（ＵＥ）もアクティブでないことを判断することと、
前記ＬＰＮのどの接続されたＵＥもアクティブでないことが判断された時、アクティブ状態から間欠受信および送信（ＤＲＸ／ＤＴＸ）状態へ遷移することと、
ドーマント状態に遷移することと、ここにおいて、前記ドーマント状態への遷移は、前記ＤＲＸ／ＤＴＸ状態から実行される、
前記ドーマント状態にある間、超低デューティサイクル信号（ＬＤＣＳ）を送信することと、ここにおいて、前記ドーマント状態における前記ＬＤＣＳの送信は、前記ＤＲＸ／ＤＴＸ状態において送信される不連続送信よりもより低いデューティサイクルを有する、
を備える、ユーザ機器リレー（ＵＥリレー）におけるワイヤレス通信の方法。
【請求項２】
第２のエンティティにＬＤＣＳ構成を送信することをさらに備え、ここにおいて、前記第２のエンティティが、ドーマント状態にない低電力ノード（ＬＰＮ）とマクロセルとのうちの１つを備える、請求項１に記載の方法。
【請求項３】
前記ＬＤＣＳ構成が前記ＬＤＣＳのための送信電力情報を備える、請求項１に記載の方法。
【請求項４】
前記ＬＤＣＳが、前記ＵＥリレーのためのバックホール品質情報とローディング能力情報とのうちの少なくとも１つをさらに備える、請求項１に記載の方法。
【請求項５】
前記ドーマント状態への前記遷移がアクティブ状態から行われ、前記遷移が、所定の時間期間の満了に少なくとも部分的に基づいて実行される、請求項１に記載の方法。
【請求項６】
少なくとも１つの接続されたユーザ機器（ＵＥ）を監視することと、
いずれかの接続されたＵＥがアクティブであるかどうかを判断することと、ここにおいて、どのＵＥも前記所定の時間期間の間にアクティブでないと判断されたとき、前記ドーマント状態への前記遷移が実行される、をさらに備える、請求項５に記載の方法。
【請求項７】
前記ＵＥリレーのどの接続されたＵＥもアクティブでないと判断することと、
前記ＵＥリレーのどの接続されたＵＥもアクティブでないと判断されたとき、間欠受信および送信（ＤＲＸ／ＤＴＸ）モードに遷移することと、ここにおいて、前記ドーマント状態への前記遷移が前記ＤＲＸ／ＤＴＸモードから実行される、をさらに備える、請求項６に記載の方法。
【請求項８】
前記ＤＲＸ／ＤＴＸモードが、前記ＵＥリレーのアクセスリンクのための構成と、前記ＵＥリレーのバックホールリンクのための構成とを備える、請求項７に記載の方法。
【請求項９】
前記ＵＥリレーの前記アクセスリンクのための前記構成が、前記ＵＥリレーの前記バックホールリンクの前記構成と整合する、請求項８に記載の方法。
【請求項１０】
前記ＵＥリレーの前記アクセスリンクのための前記構成が、前記ＵＥリレーの前記バックホールリンクの前記構成とは異なる、請求項８に記載の方法。
【請求項１１】
請求項１から１０のうちのいずれかにしたがった方法を実行するための命令を備えるコンピュータプログラム。
【請求項１２】
低電力ノード（ＬＰＮ）のどの接続されたユーザ機器（ＵＥ）もアクティブでないことを判断するための手段と、
前記ＬＰＮのどの接続されたＵＥもアクティブでないことが判断された時、アクティブ状態から間欠受信および送信（ＤＲＸ／ＤＴＸ）状態へ遷移するための手段と、
ドーマント状態に遷移するための手段と、ここにおいて、前記ドーマント状態への遷移は、前記ＤＲＸ／ＤＴＸ状態から実行される、
前記ドーマント状態にある間、超低デューティサイクル信号（ＬＤＣＳ）を送信するための手段と、ここにおいて、前記ドーマント状態における前記ＬＤＣＳの送信は、前記ＤＲＸ／ＤＴＸ状態において送信される不連続送信よりもより低いデューティサイクルを有する、
を備える、ワイヤレス通信のための装置。
【請求項１３】
送信するための前記手段が、第２のエンティティにＬＤＣＳ構成を送信し、ここにおいて、前記第２のエンティティが、ドーマント状態にない低電力ノード（ＬＰＮ）とマクロセルとのうちの１つを備える、請求項１２に記載の装置。
【請求項１４】
前記ＬＤＣＳ構成が前記ＬＤＣＳのための送信電力情報を備える、請求項１２に記載の装置。
【請求項１５】
前記ＬＤＣＳが、前記ＵＥリレーのためのバックホール品質情報とローディング能力情報とのうちの少なくとも１つをさらに備える、請求項１２に記載の装置。
【発明の詳細な説明】
【技術分野】
【０００１】
関連出願の相互参照
[0001]本出願は、それらの全体が参照により本明細書に明確に組み込まれる、２０１２年４月２７日に出願された「METHOD AND APPARATUS FOR SIGNALING IN DENSE NETWORK OPERATIONS」と題する米国仮出願第６１／６３９，７７８号、および２０１３年３月１３日に出願された「METHOD AND APPARATUS FOR SIGNALING IN DENSE NETWORK OPERATIONS」と題する米国特許出願第１３／８０２，６３７号の利益を主張する。
【０００２】
[0002]本開示は、一般に通信システムに関し、より詳細には、高密度に展開されたネットワーク中のエネルギー効率が高いシグナリングおよび動作のための方法および装置に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。新生の電気通信規格の例は、ロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]高密度ネットワーク展開はワイヤレスシステム容量を著しく改善し得る。そのような高密度ネットワーク展開では、低電力ノード（ＬＰＮ：Low Power Node）が、それらの近傍における他のユーザ機器（ＵＥ：User Equipment）へのサービスを提供する。ＬＰＮは、ＵＥリレー、リモート無線ヘッド（ＲＲＨ：Remote Radio Head）、ピコセル、フェムトセルなどを備え得る。ピコセルは約３０ｄＢｍの電力を有し、ＵＥリレーは約２３ｄＢｍの電力を有する。したがって、「低」電力ノードは、マクロセルの典型的な送信電力である約４６ｄＢよりも少ない電力を有する。ＵＥリレーは、たとえば、ｅＮＢまたは他のＬＰＮへのバックホールリンク、ならびに別のＵＥのためのアクセスリンクの両方を有するＵＥである。高密度展開は多数のＬＰＮを含み得る。
【０００６】
[0006]ＬＰＮの使用はワイヤレスシステムの容量を大幅に増加させることができるが、そのような動作はＬＰＮのバッテリーに負担もかける。したがって、そのような高密度ネットワーク展開に関与するＬＰＮのエネルギー効率が高い動作を保証する必要がある。
【発明の概要】
【０００７】
[0007]高密度ネットワーク展開に関連する問題を克服するために、本明細書で提示する態様は、高密度ネットワーク展開に関与するＬＰＮ、たとえば、ＵＥリレーが、リレー／ＬＰＮ動作が必要とされないときはいつでもドーマント（dormant）のままであることを可能にする。高密度に展開されたネットワークでは、ＬＰＮのいくつかが、関連するユーザをもたない期間を有しなくなる可能性がある。たとえば、ＬＰＮが接続ユーザを有しないことがあり得、または接続ユーザのいずれもアクティブでないことがあり得る。この状況では、エネルギーを節約するためにＬＰＮの送信電力またはデューティサイクルを低減することが有利である。本明細書で提示する態様は、送信電力またはデューティサイクルのそのような低減を可能にするためのシグナリングおよびプロシージャを提供する。
【０００８】
[0008]本開示の一態様では、高密度ネットワーク展開中のＵＥにおけるワイヤレス通信のための装置、方法、およびコンピュータプログラム製品が提供される。本装置は、第２のエンティティからＵＥリレーのための超低デューティサイクル信号（ＬＤＣＳ：low duty cycle signal）構成を受信する。超低デューティサイクル信号は、どのくらいの電力節約が望まれるかに応じて、数百ｍｓ、数秒またはそれ以上の間隔をもつデューティサイクルを有する信号を備える。第２のエンティティは、別の非ドーマントＬＰＮまたはセル、たとえばマクロセル、ピコセルまたはＲＲＨであり得る。ＬＤＣＳ構成を受信した後に、本装置は、受信されたＬＤＣＳ構成に基づいてＵＥリレーからのＬＤＣＳを監視する。
【０００９】
[0009]特に、ＬＤＣＳのフォーマットは、特殊同期信号フォーマットと、拡張セル固有基準信号（ＣＲＳ：cell-specific reference signal）フォーマットと、コード化信号送信フォーマットと、チャネル状態情報基準信号（ＣＳＩ−ＲＳ：channel state information reference signal）フォーマットと、システム情報ブロック（ＳＩＢ：system information block）フォーマットとのうちの少なくとも１つを備え得る。たとえば、ＬＤＣＳのフォーマットは、低減された情報の量を有するＳＩＢフォーマットを備え得、ここにおいて、ＬＤＣＳはＳＩＢ情報とグローバルセルＩＤとのうちの少なくとも１つを備える。
【００１０】
[0010]第２のエンティティから受信されたＬＤＣＳ構成は、特に、第２のエンティティからの１次同期信号（ＰＳＳ：primary synchronization signal）送信と、２次同期信号（ＳＳＳ：secondary synchronization signal）送信と、物理ブロードキャストチャネル（ＰＢＣＨ：physical broadcast channel）送信と、ＳＩＢ送信と、マスタ情報ブロック（ＭＩＢ：master information block）送信とのうちのいずれかにおいて備えられ得る。
【００１１】
[0011]ＵＥは、第２のエンティティから複数のＬＰＮのためのＬＤＣＳ構成を受信し、複数のＬＰＮはＵＥリレーを含み得る。ＬＰＮは、たとえば、ＵＥリレー、ＲＲＨ、または別のタイプのＬＰＮを備え得る。本装置は、受信されたＬＤＣＳ構成に基づいて複数のＬＤＣＳを監視し得る。本装置が、ＬＰＮに接続する必要を判断したとき、本装置は複数のＬＰＮの間でＬＰＮを選択する。
【００１２】
[0012]本開示の別の態様では、第２のエンティティからのＵＥリレーのためのＬＤＣＳ構成のワイヤレス通信のための装置、方法、およびコンピュータプログラム製品が提供される。第１の態様と同様に、第２のエンティティは別のＬＰＮまたはセルであり得る。本装置は、ＵＥリレーを識別し、ＵＥリレーのＬＤＣＳ構成を送信する。本装置は、ＵＥリレーのためのＬＤＣＳ情報を受信し得、ここにおいて、ＬＤＣＳ情報が受信された後にＬＤＣＳ構成が送信される。代替的に、本装置は、ＬＤＣＳ構成自体を判断し、その後、ＬＤＣＳ構成をＵＥリレーに送信し得る。第２のエンティティから送信されるＬＤＣＳ構成は、特に、ＰＳＳ、ＳＳＳ、ＰＢＣＨ、ＳＩＢ、およびＭＩＢのうちの少なくとも１つを備え得る。
【００１３】
[0013]本開示の別の態様では、ＵＥリレーにおけるワイヤレス通信のための装置、方法、およびコンピュータプログラム製品が提供される。この態様では、本装置は、ドーマント状態に遷移し、ドーマント状態にある間にＬＤＣＳを送信する。
【００１４】
[0014]態様は、第２のエンティティにＬＤＣＳ構成を送信することをさらに含み、第２のエンティティは、ドーマント状態にないＬＰＮとマクロセルとのうちの１つであり得る。ＬＤＣＳ構成は、たとえば、ＬＤＣＳのための送信電力情報を備え得る。
【００１５】
[0015]態様は、ＬＤＣＳを送信した後に所定のＲＡＣＨ遅延においてＲＡＣＨメッセージを監視することをさらに含み得る。所定のＲＡＣＨ遅延は、送信されるＬＤＣＳにおいて備えられ得る。ＬＤＣＳはＲＡＣＨ構成をさらに備え得、ここにおいて、ＲＡＣＨ構成はグローバルセルＩＤに関係する。ＬＤＣＳは、ＵＥリレーのためのバックホール品質情報とローディング能力情報とのうちの少なくとも１つをさらに備え得る。
【００１６】
[0016]ドーマント状態への遷移はアクティブ状態から行われ得、この遷移は、所定の時間期間の満了に少なくとも部分的に基づいて実行され得る。
【００１７】
[0017]態様は、少なくとも１つの接続されたＵＥを監視することをさらに含み、いずれかの接続されたＵＥがアクティブであるかどうかを判断し得る。どのＵＥも所定の時間期間の間にアクティブでないと判断されたとき、ドーマント状態への遷移が実行され得る。
【００１８】
[0018]態様は、ＵＥリレーのどの接続されたＵＥもアクティブでないと判断することと、ＵＥリレーのどの接続されたＵＥもアクティブでないと判断されたとき、間欠受信および送信（ＤＲＸ／ＤＴＸ：discontinuous reception and transmission）モードに遷移することと、ここにおいて、ドーマント状態への遷移がＤＲＸ／ＤＴＸモードから実行される、をさらに含み得る。
【００１９】
[0019]態様は、どの接続されたＵＥもアクティブでないと判断することをさらに含み、ここにおいて、ＵＥリレーは、どの接続されたＵＥもアクティブでないと判断した後に所定の時間期間においてドーマント状態に遷移する。
【００２０】
[0020]態様は、ＤＲＸ／ＤＴＸモードを少なくとも１つの接続されたＵＥのＤＲＸ／ＤＴＸモードに整合させることと、ＤＲＸ／ＤＴＸモードを複数の接続されたＵＥのＤＲＸ／ＤＴＸモードに整合させることと、ここにおいて、接続されたＵＥの各々のためのＤＲＸ／ＤＴＸモードが異なる、ＤＲＸ／ＤＴＸモードを複数の接続されたＵＥのＤＲＸ／ＤＴＸモードに整合させることと、ここにおいて、接続されたＵＥの各々のためのＤＲＸ／ＤＴＸモードが同じである、とのいずれかをさらに含み得る。ＤＲＸ／ＤＴＸモードは、ＵＥリレーのアクセスリンクのための構成と、ＵＥリレーのバックホールリンクのための構成とを備え得る。ＵＥリレーのアクセスリンクのための構成は、ＵＥリレーのバックホールリンクの構成と整合し得る。ＵＥリレーのアクセスリンクのための構成は、ＵＥリレーのバックホールリンクの構成とは異なり得る。
【図面の簡単な説明】
【００２１】
【図１】[0021]ネットワークアーキテクチャの例を示す図。
【図２】[0022]アクセスネットワークの例を示す図。
【図３】[0023]ＬＴＥにおけるＤＬフレーム構造の例を示す図。
【図４】[0024]ＬＴＥにおけるＵＬフレーム構造の例を示す図。
【図５】[0025]ユーザプレーンおよび制御プレーンのための無線プロトコルアーキテクチャの例を示す図。
【図６】[0026]アクセスネットワーク中の発展型ノードＢおよびユーザ機器の例を示す図。
【図７】[0027]異種ネットワーク中の範囲拡大セルラー領域を示す図。
【図８】[0028]本明細書で提示する態様による高密度展開ネットワークを示す図。
【図９】[0029]本明細書で提示する態様によるＬＰＮの潜在的状態を示すチャート。
【図１０】[0030]ＤＲＸ／ＤＴＸ整合の態様を示す図。
【図１１】[0031]ＤＲＸ／ＤＴＸ整合の態様を示す図。
【図１２】[0032]ワイヤレス通信の方法のフローチャート。
【図１３】[0033]ワイヤレス通信の方法のフローチャート。
【図１４】[0034]ワイヤレス通信の方法のフローチャート。
【図１５】[0035]例示的な装置中の異なるモジュール／手段／構成要素間のデータフローを示す概念データフロー図。
【図１６】[0036]例示的な装置中の異なるモジュール／手段／構成要素間のデータフローを示す概念データフロー図。
【図１７】[0037]例示的な装置中の異なるモジュール／手段／構成要素間のデータフローを示す概念データフロー図。
【図１８】[0038]処理システムを採用する装置のためのハードウェア実装形態の例を示す図。
【図１９】[0039]処理システムを採用する装置のためのハードウェア実装形態の例を示す図。
【図２０】[0040]処理システムを採用する装置のためのハードウェア実装形態の例を示す図。
【発明を実施するための形態】
【００２２】
[0041]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００２３】
[0042]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００２４】
[0043]例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２５】
[0044]したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、この場合、ディスク（disk）は、通常、データを磁気的に再生し、ディスク（disc）はデータをレーザーで光学的に再生する。上記の組合せもコンピュータ可読媒体の範囲内に含めるべきである。
【００２６】
[0045]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２７】
[0046]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星ラジオ、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２８】
[0047]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２９】
[0048]図２は、ＬＴＥネットワークアーキテクチャにおけるアクセスネットワーク２００の例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモート無線ヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００３０】
[0049]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））、ならびにＴＤ−ＳＣＤＭＡ、ＴＤＭＡを採用するモバイル通信用グローバルシステム（ＧＳＭ（登録商標）：Global System for Mobile Communications）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＯＦＤＭＡを採用するＦｌａｓｈ−ＯＦＤＭなど、ＣＤＭＡの他の変形態を採用するユニバーサル地上波無線アクセス（ＵＴＲＡ：Universal Terrestrial Radio Access）に拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００３１】
[0050]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００３２】
[0051]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００３３】
[0052]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００３４】
[0053]図３は、ＬＴＥにおけるＤＬフレーム構造の例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。すなわち、ＵＥが受信するリソースブロックが多いほど、また変調方式が高いほど、ＵＥのデータレートは高くなる。
【００３５】
[0054]図４は、ＬＴＥにおけるＵＬフレーム構造の例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００３６】
[0055]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００３７】
[0056]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３８】
[0057]図５は、ＬＴＥにおけるユーザプレーンおよび制御プレーンのための無線プロトコルアーキテクチャの例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３９】
[0058]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００４０】
[0059]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順序が乱れた受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００４１】
[0060]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００４２】
[0061]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００４３】
[0062]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００４４】
[0063]ＵＥ６５０において、各受信機６５４ＲＸは、そのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いで、コントローラ／プロセッサ６５９に与えられる。
【００４５】
[0064]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号と、ヘッダ復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４６】
[0065]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００４７】
[0066]ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４８】
[0067]ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４９】
[0068]コントローラ／プロセッサ６７５はＬ２レイヤを実装する。コントローラ／プロセッサ６７５は、プログラムコードとデータとを記憶するメモリ６７６に関連し得る。メモリ６７６は、コンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号（decipher）と、ヘッダ復元（decompression）と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００５０】
[0069]図７は、高密度展開ネットワークを示す図７００である。ＬＰＮ、たとえば、ＲＲＨ７１０ｂまたはＵＥリレー７１０ｃ、またはフェムトセル、またはピコセルなど、より低い電力クラスのｅＮＢは、ｅＮＢ７１０ａに加えてＵＥ７２０のためにアクセスリンクを与えることができる。
【００５１】
[0070]ＬＰＮは、ＲＲＨ７１０ｂとマクロｅＮＢ７１０ａとの間の拡張セル間干渉協調と、ＵＥ７２０によって実行される干渉消去とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が範囲拡大セルラー領域７０３に入るとき、マクロｅＮＢ７１０ａからのＵＥ７２０のハンドオフを受け入れることが可能になる。
【００５２】
[0071]ＵＥにサービスを提供するＬＰＮの使用によって、高密度ネットワーク展開はワイヤレスシステム容量を改善する。しかしながら、問題の中でも、ＬＰＮのそのような追加の使用は、それのバッテリーおよび電力消費量に追加の負担をかける。
【００５３】
[0072]高密度ネットワーク展開に関与するＬＰＮのエネルギー効率が高い動作を保証するために、ＬＰＮは、リレー動作が必要とされないときはいつでもドーマントのままでなければならない。たとえば、高密度展開ネットワークにおいて、いくつかのＬＰＮが、いくつかの時間期間の間、それらに関連する接続されたおよび／またはアクティブなユーザを有しなくなる可能性がある。ＵＥリレーについて、どの他のＵＥもＵＥリレーの近傍内にないことが時々起こり得る。これらの時点で、ＬＰＮはドーマントモード、またはドーマント状態に入ることができ、その間にＬＰＮはＬＤＣＳのみを送信する。超低デューティサイクル信号は、少なくとも数百ｍｓの間隔をもつデューティサイクルを有する信号を備える。この間隔は、どのくらいの電力節約が望まれるかに応じて数秒またはそれ以上に設定され得る。スパース送信がＤＬ干渉の量を低減する。
【００５４】
[0073]特に、ＬＤＣＳのフォーマットは、特殊同期信号フォーマット、たとえば、ＰＳＳ／ＳＳＳと、拡張ＣＲＳフォーマットと、コード化信号送信フォーマットと、ＣＳＩ−ＲＳフォーマットと、ＳＩＢフォーマットとのうちの少なくとも１つを備え得る。
【００５５】
[0074]たとえば、ＬＤＣＳのフォーマットは、低減された情報の量を有するＳＩＢフォーマットを備え得、ここにおいて、ＬＤＣＳはＳＩＢ情報とグローバルセルＩＤとのうちの少なくとも１つを備える。別の例として、ＬＤＣＳ信号のための拡張ＣＲＳフォーマットは、低デューティサイクルを有し得、たとえば、５つのＲＢ、２５個のリソースブロック（ＲＢ）、システム帯域幅全体などに及び得る。別の例として、ＬＤＣＳは、符号化された情報を内部にもつ低再利用プリアンブルを有するコード化信号送信を備え得る。そのようなコード化信号送信は、Ｄ２Ｄとともに使用されるものなど、低再使用プリアンブルと同様であり得る。プリアンブル中に符号化される情報は、たとえば、グローバルセルラーＩＤ、ＬＤＣＳに関するＲＡＣＨ遅延などを含み得る。
【００５６】
[0075]図８に、セル８０２と重複している高密度展開ネットワーク中のＬＰＮ１  ８０６ａ、ＬＰＮ２  ８０６ｂ、およびＬＰＮ３  ８０６ｃを示す。
【００５７】
[0076]ＬＰＮ８０６ａ〜ｃは、図９に示すように、少なくとも２つの異なる状態を有し得る。ＬＰＮは、接続されたアクティブ状態９０２、およびドーマント状態９０４など、少なくとも１つの接続状態を有し得る。アクティブ状態中に、ＬＰＮは、サービスすべきアクティブＵＥを有する。ＬＰＮは、復調のための復調基準信号（ＤＭＲＳ：demodulation reference signal）、同期のためのＣＳＩ−ＲＳ、ＣＲＳ、ＣＳＩ、ＰＳＳ／ＳＳＳ、他の可能なアップリンク信号、および場合によっては特殊同期信号など、データ通信のためのすべての必要な信号を送信し得る。ＵＥリレーのアクティブ状態中に、ＵＥリレーは、アクティブ送信において接続された少なくとも１つのＵＥを有する。ＵＥリレーは、ＵＬを連続的に監視し、ＤＬ上で必要な信号を送信し得る。
【００５８】
[0077]それのドーマント状態９０４中に、ＬＰＮはＬＤＣＳ信号のみを送信し得る。ドーマントＵＥリレーは、それに関連付けられたＵＥを有しない。ドーマントＵＥリレーは、単にＬＤＣＳを送信するか、または、それがＵＥリレーとしてサービスすることを希望しない場合、信号をまったく送信しない。ＬＤＣＳは、たとえば、１秒またはそれ以上の間隔で、約数百ｍｓまたはそれ以上の間隔を備える。たとえば、ＬＤＣＳは約３００ｍｓの間隔であり得る。近傍におけるＵＥは、近くのＬＰＮの存在を識別するためにＬＤＣＳを検出し得る。これは、ＬＰＮがドーマント状態にある間、ＵＥがＬＰＮへの接続を開始することを可能にする。ＵＥからのサービスの必要の指示を受信するそれの能力の損失なしに、ＵＥがドーマント状態のままであることを可能にすることによって、ＬＰＮの動作のための電力効率を可能にする。このようにして、ＬＰＮは、それの近傍内にアクティブＵＥがないとき、より高いデューティサイクルでシグナリングを不必要にブロードキャストすることによる干渉および電力の浪費を回避する。
【００５９】
[0078]ＬＰＮはまた、接続された間欠受信および送信（ＤＲＸ／ＤＴＸ）状態９０６とも呼ばれる、第３の状態を含み得る。ＵＥリレーのＤＲＸ／ＤＴＸ状態は、たとえば、少なくとも１つのＵＥに接続されたＵＥリレーを備え得、ＵＥはＤＲＸモードにある。アクセスの必要が低減したとき、ＬＰＮはＤＲＸ／ＤＴＸ状態に入る。たとえば、ＬＰＮは、それの接続ユーザを監視して、それらのいずれかがアクティブであるかどうかを判断し得る。ユーザがいないか、またはアクティブなユーザがいない場合、ＬＰＮは、ドーマント状態に遷移する前にＤＲＸ／ＤＴＸ状態に遷移し得る。同様に、ＬＰＮは、限られた数のＵＥにＬＰＮが関連付けられ、限られた数のＵＥがＤＲＸ状態にあると判断した場合、ＬＰＮはＤＴＸ／ＤＲＸ状態に入り得る。ＬＰＮは、この状態におけるＬＰＮの電力効率を最大にするためにそれのＤＲＸ／ＤＴＸサイクルをＵＥのＤＲＸサイクルと整合させ得る。
【００６０】
[0079]ＤＲＸ／ＤＴＸ状態は、壁に差し込まれるＲＲＨ、ピコセル、または他のＬＰＮでは重要でないことがあるが、この状態は、ＵＥリレーにとって、それのバッテリー寿命を延長するために極めて重要であり得る。
【００６１】
[0080]図９に示すように、ＬＰＮは、ｅＮＢから要求されたアクティブ化に応答して、および／またはＬＤＣＳに応答してＵＥからＲＡＣＨメッセージを受信したことに基づいて、ドーマント９０４からアクティブ９０２に遷移し得る。
【００６２】
[0081]ＬＰＮは、アクティブ状態９０２からドーマント状態９０４に自動的に遷移し得る。たとえば、ＬＰＮは、アクティブ状態にある間、それの接続ユーザを連続的に監視し得る。ある基準が満たされたとき、たとえば、ユーザの誰もアクティブでないとき、ＬＰＮは、非アクティビティタイマーの満了時にドーマント状態に遷移し得る。特に、そのような遷移の基準は、ＬＰＮが何らかの接続ユーザを有するかどうかと、接続ユーザのいずれかがアクティブであるかどうかと、ＬＰＮが所定数の接続および／またはアクティブユーザよりも多くを有するかどうかと、ＬＰＮのバッテリーの状態とに基づき得る。たとえば、ＬＰＮが十分な接続および／またはアクティブユーザを有しない場合、ＬＰＮは、ドーマント状態に遷移するために、それの現在のユーザを別のＬＰＮにハンドオーバし得る。ＬＰＮはまた、それのバッテリー電力が一定のレベルを下回るとき、それの現在のユーザを別のＬＰＮにハンドオーバし、ドーマント状態に遷移し得る。
【００６３】
[0082]ＬＰＮは、アクティブ状態９０２からＤＲＸ／ＤＴＸ状態に自動的に遷移し得る。アクティブからドーマントへの自動的遷移と同様に、この場合、ＬＰＮは、ある基準が満たされた後の非アクティビティタイマーの満了時にＤＲＸ／ＤＴＸ状態に遷移し得る。アクティブ状態から直接的にドーマント状態への遷移の場合と同様の基準が適用され得る。さらに、基準は、接続ユーザがＤＲＸモードにあるかどうかを含み得る。ＤＲＸ／ＤＴＸ状態は、アクティブ状態よりも少ない電力を使用するが、ドーマント状態よりも多くのリソースを使用する中間状態である。
【００６４】
[0083]図９に示すように、たとえば、パケットがユーザまたはＬＰＮに到着した場合、ＬＰＮは、ＤＲＸ／ＤＴＸ状態９０６から直接的に再びアクティブ状態９０２に遷移し得る。ＬＰＮは、たとえば、別の非アクティビティタイマーの満了時に、ＤＲＸ／ＤＴＸ状態からドーマント状態に遷移し得る。
【００６５】
[0084]また、図９に示すように、ＬＰＮは、たとえば、可能なパケット到着時に、ドーマント状態９０４から中間ＤＲＸ／ＤＴＸ状態９０６に遷移し得る。
【００６６】
[0085]ＬＰＮのアクセスリンクとバックホールリンクとに別個のＤＲＸおよびＤＴＸ構成が適用され得る。これは、ＬＰＮが別個のアクセスリンクと単一のバックホールとの上で複数のユーザを処理し得るとき、複数のユーザを処理するためにアクセスリンク上でのＤＲＸ／ＤＴＸの周期性の増加を可能にする。したがって、ＬＰＮは、バックホールリンクとアクセスリンクとについて別々にｓ  ＤＲＸ／ＤＴＸモードに遷移し得る。ＬＰＮは、一方または両方のリンクについてＤＲＸ／ＤＴＸ状態に遷移し得る。さらに、両方のリンクのためのＤＲＸ／ＤＴＸ構成は異なる構成を有し得る。
【００６７】
[0086]アクセスリンクとバックホールリンクとのためのＤＲＸ／ＤＴＸ構成は、エネルギーを保存するために整合され得る。これは、ＬＰＮが、同じ周期性を使用してＵＥと基地局の両方と通信することを可能にする。同様に、この構成は、接続されたＵＥのＤＲＸ／ＤＴＸに整合され得る。
【００６８】
[0087]たとえば、図１０に、ＵＥのＤＲＸに整合されているＬＰＮのＤＴＸ動作を示す。同様に、図１１に、ＵＥのＤＴＸに整合されているＬＰＮのＤＲＸ動作を示す。
【００６９】
[0088]さらに、マクロセルなどのセルは、異なるＬＰＮをより良く多重化するために、バックホール上で複数のＬＰＮのために異なるＤＲＸ／ＤＴＸ構成を有し得る。たとえば、マクロセルは、複数のＵＥ、ＵＥリレー、および他のＬＰＮをサービスし得る。マクロセルは、これらのタイプのユーザの各々について、それらの各々の効率を最大にするために異なる構成を有し得る。
【００７０】
[0089]ＵＥがＬＤＣＳを受信することを可能にするために、ＵＥがＬＤＣＳを受信するのを第２のエンティティが支援する。特に、第２のエンティティは、ドーマント状態にない別のＬＰＮ、連続的に送信しているセル、および別のアンカーエンティティであり得る。第２のエンティティは別のタイプのアンカーエンティティでもあり得るが、第２のエンティティとしてマクロセルを適用する例について説明する。
【００７１】
[0090]図８に示すように、マクロセル８０２は、ＬＰＮ８０６ａ〜ｃの各々についてＬＤＣＳ構成を送信し得る。ＬＤＣＳ構成は、特に、ＰＳＳ、ＳＳＳ、ＰＢＣＨ、ＳＩＢ、およびＭＩＢのいずれかを備え得る。ＵＥ８０４ａは、ＬＤＣＳ構成を受信し、それを使用して、ＵＥ８０４ａが近接しているＬＰＮのいずれかからのＬＤＣＳを監視する。アイドルモードにある間、ＵＥは、少なくとも１つのＬＰＮからのＬＤＣＳを監視する。ＵＥは、リリース８に記載されているように、セル再選択と同様のプロシージャを実行し得、すなわち、ＵＥはＬＰＮのいずれにも接続しないが、単にそれらを監視する。
【００７２】
[0091]ＵＥは、ＵＥがデータ接続を必要としていると判断したとき、ＵＥはＬＰＮを選択する。ＬＰＮが選択されると、ＵＥはＬＰＮにＲＡＣＨメッセージを送信する。ＬＰＮがドーマント状態にあるとき、ＬＰＮは、ＵＥからの送信を連続的に監視していない。したがって、ＵＥは、ＬＰＮがそのようなメッセージを監視しているとき、ＲＡＣＨメッセージを送信する必要がある。したがって、ＵＥは、ＬＤＣＳを受信した後に、所定の時間量、すなわち、所定のＲＡＣＨ遅延においてＲＡＣＨメッセージを送信する。ＬＤＣＳを送信した後に、ＬＰＮは、所定のＲＡＣＨ遅延によって示されるときにＲＡＣＨメッセージを監視することになる。たとえば、ＬＰＮがサブフレームｎにおいてＬＤＣＳを送信し、Ｋの対応するＲＡＣＨ遅延を有するとき、時間ｎ＋Ｋにおいて、ＬＰＮは、特定の構成を有するＲＡＣＨシーケンスを探すことになる。すべての他の時間において、ＬＰＮはドーマントのままであり得る。この決定性遅延は、ＬＰＮと潜在的ユーザとの間の通信の可能性を維持しながら、さらなる電力効率を確保する。ＲＡＣＨ遅延Ｋは、たとえば、ＳＩＢ／ＭＩＢ中のＬＤＣＳ構成情報とともに、マクロセルからシグナリングされ得る。また、ＲＡＣＨ遅延Ｋ、および構成は、ＬＤＣＳ内などでＬＰＮからユーザに直接シグナリングされ得る。さらに、ＲＡＣＨ構成は、グローバルセルＩＤにリンクされるか、またはＬＤＣＳ構成中で指定されるか、またはＬＤＣＳによって直接シグナリングされ得る。これにより、ＬＰＮは、ＵＥが他の近くのＬＰＮではなくこの特定のＬＰＮにアクセスすることを試みていることを知ることが可能になる。
【００７３】
[0092]図１２は、ＵＥにおけるワイヤレス通信の方法のフローチャート１２００である。随意の態様は破線で示されている。本方法はＵＥによって実行され得る。ステップ１２０２において、第２のエンティティからＵＥリレーのためのＬＤＣＳ構成を受信する。このステップは、１２０３において、第２のエンティティから複数のＬＤＣＳ構成を受信することを含み得、この構成は、ＵＥリレーを含む複数のＬＰＮに対応する。ＬＰＮは、ＵＥリレーと、ＲＲＨと、他のタイプのＬＰＮとのいずれかであり得る。低電力ノードは約４６ｄＢｍよりも少ない電力を有する。特に、第２のエンティティは、ドーマント状態にないＬＰＮ、およびマクロセルなどのセルであり得る。
【００７４】
[0093]１２０４において、ＵＥは、受信されたＬＤＣＳ構成に基づいてＵＥリレーからのＬＤＣＳを監視する。ＵＥが追加のＬＰＮのためのＬＤＣＳ構成を受信した場合、ＵＥは、ＵＥリレーと追加のＬＰＮとに対応する複数のＬＤＣＳを監視し得る。ＵＥは、ＵＥのアイドルモードまたはアクティブモード中にＬＤＣＳを監視し得る。これは、たとえば、ＵＥリレーを通して可能なデータ接続を実行するために実行され得る。
【００７５】
[0094]特に、ＬＤＣＳのフォーマットは、ＳＳＳフォーマットと、拡張ＣＲＳ信号フォーマットと、コード化信号送信フォーマットと、ＣＳＩ−ＲＳフォーマットと、ＳＩＢフォーマットとのうちの少なくとも１つを備え得る。
【００７６】
[0095]たとえば、ＬＤＣＳのフォーマットは、ＬＤＣＳがＳＩＢ情報とセルＩＤとのうちの少なくとも１つを備える場合など、低減された量の情報を有するＳＩＢフォーマットを含み得る。典型的なネットワークでは、複数のＳＩＢ、たとえばＳＩＢ１、ＳＩＢ２、．．．、ＳＩＢｎが送られ得、各ＳＩＢは、セル構成、ネイバーセル情報、ＲＡＴ間ハンドオーバ情報など、様々な態様を指定する。対照的に、低減された量の情報を有するＳＩＢは、低電力ノードについての必須情報のすべてを有する単一のＳＩＢ送信を備え得る。そのようなＳＩＢ送信はＳＩＢ＿ｌｉｔｅと呼ばれることがある。したがって、この例におけるＬＤＣＳはＳＩＢ＿ｌｉｔｅ情報のみを送信し得る。この必須情報は、ＬＰＮにＲＡＣＨメッセージを送るために必要とされる情報など、ＬＰＮにアクセスするためにＵＥにとって必要とされる情報を備える。
【００７７】
[0096]ＬＤＣＳのフォーマットは、低デューティサイクルを有する拡張ＣＲＳを含み、５つのＲＢ、２５個のリソースブロック（ＲＢ）またはシステム帯域幅全体のいずれかに及び得る。ＬＤＣＳのフォーマットは、符号化された情報を備える低再利用プリアンブルを有するコード化信号送信を含み得る。典型的な同期信号は５〜１０ｍｓごとに発生し、ＭＩＢは約４０ｍｓごとに発生する。したがって、低再利用プリアンブルは約１００ｍｓ程度またはそれ以上であり得る。ＬＤＣＳのフォーマットは、たとえば、低再利用プリアンブルを有する信号送信を備え得、グローバルセルＩＤおよび／またはＲＡＣＨ構成の符号化された情報を備える。
【００７８】
[0097]第２のエンティティによって送られるＬＤＣＳ構成は、特に、第２のエンティティからのＰＳＳ、ＳＳＳ、ＰＢＣＨ、ＳＩＢ、およびＭＩＢ送信を備え得る。
【００７９】
[0098]ＵＥが複数のＬＰＮのためのＬＤＣＳ構成を受信したとき、ＵＥは、受信されたＬＤＣＳ構成に基づいて複数のＬＰＮからの複数のＬＤＣＳを監視する。これは、１２０６において、ＵＥが、ＬＰＮに接続する必要を判断したとき、ＵＥが複数のＬＰＮの中からＬＰＮを選択することを可能にする。
【００８０】
[0099]特定のＬＰＮの選択１２０６はいくつかの考慮事項に基づき得る。
【００８１】
[00100]たとえば、ノードは、たとえば、それのＬＤＣＳからの最大受信電力をもつノードに基づいて、または最小経路損失をもつノードに基づいて選択され得る。最大受信電力を使用すると、ＤＬ観点から最良のサービングノードが確保されるが、最小経路損失を使用すると、ＵＬ観点から最良のサービングノードが確保される。
【００８２】
[00101]経路損失を測定するために、ＬＤＣＳの送信電力はＵＥにシグナリングされることが必要になる。ＵＥは、次いで１２１２において、ＬＤＣＳのシグナリングされた送信電力と、ＬＤＣＳの受信された電力とに基づいて、経路損失を計算または判断することが可能になる。これは、１２０８において、第２のエンティティから、たとえば、マクロセルからシグナリングされ得る。マクロセルは、ＳＩＢ／ＭＩＢ中で他のＬＤＣＳ構成とともに送信電力をシグナリングし得る。代替的に、送信電力は、１２１０において、ＬＰＮからＬＤＣＳの一部としてシグナリングされ得る。たとえば、ＬＤＣＳの送信電力は、ＬＤＣＳのコード化コンテンツ中に埋め込まれるか、あるいはＬＤＣＳのシーケンスまたは構成の一部分として埋め込まれ得る。このようにして、ＵＥは、たとえば、第２のエンティティから、複数のＬＰＮの送信電力を受信し、ＬＰＮの各々のための送信電力は、対応するＬＰＮのための受信されたＬＤＣＳ構成において備えられ得る。次いで、ＵＥは、対応するＬＰＮのための受信された送信電力に少なくとも部分的に基づいて、複数のＬＰＮの各々のための経路損失を判断し得る。別の態様では、各ＬＤＣＳは、対応するＬＰＮの送信電力を備え得、ＵＥは、対応するＬＰＮのための受信された送信電力に少なくとも部分的に基づいて、複数のＬＰＮの各々のための経路損失を判断し得る。
【００８３】
[00102]ＬＰＮは、特徴の中でも、それのバックホール品質および／またはローディング能力をさらに示し得る。バックホール品質および／またはローディング能力は、ＬＰＮによって送信されるＬＤＣＳ中に埋め込まれるか、またはＬＤＣＳ構成とともにシグナリングされ得る。
【００８４】
[00103]たとえば、１２１４／１２１６において、ＵＥがバックホール品質および／またはローディング能力を受信すると、ＵＥは、ＬＰＮのそれの選択においてその情報を使用し得る。たとえば、ＵＥは、１２１８において、それ自体のバッファステータスを判断し、それのバッファステータスとＬＰＮの受信されたバックホール品質とに基づいて、特定のＬＰＮにアクセスすべきかどうかを判断し得る。ＵＥは、第２のエンティティからの受信されたＬＤＣＳ構成に基づいて、複数のＬＰＮからＬＤＣＳを受信し得る。ＬＰＮの各々のためのＬＤＣＳが、対応するＬＰＮのためのバックホール品質情報とローディング能力情報とのうちの少なくとも１つを備えるとき、ＵＥは、ＵＥの判断されたバッファステータスとの組合せで、対応するＬＰＮのための受信されたバックホール品質情報とローディング能力情報とのうちの少なくとも１つに基づいて、複数のＬＰＮのいずれかにアクセスすべきかどうかを判断し得る。
【００８５】
[00104]ＵＥはまた、ＬＰＮのそれの選択において追加の特性を使用し得る。たとえば、ＵＥは、特定のＬＰＮにアクセスすべきかどうかを判断するためにＬＰＮのバックホール品質、ＬＰＮのローディング能力、ＵＥの受信信号強度、経路損失、およびバッファステータスのいずれかを一緒に考慮することによって、複数のＬＰＮのいずれかにアクセスすべきかどうかを判断し得る。
【００８６】
[00105]ＬＰＮが選択されると、ＵＥは、１２２４において、選択されたＬＰＮからＬＤＣＳを受信した後にＲＡＣＨ遅延において、選択されたＬＰＮにＲＡＣＨメッセージを送信する。ＲＡＣＨ遅延は、１２０８において、第２のエンティティからＵＥによって受信され得る。たとえば、ＬＰＮは、選択されたＬＰＮのためのＬＤＣＳ構成において備えられるＲＡＣＨ遅延を有し得る。このＲＡＣＨ遅延はまた、１２２２において、選択されたＬＰＮから受信され得る。たとえば、ＬＰＮは、ＬＤＣＳにおいて備えられるＲＡＣＨ遅延を有し得る。
【００８７】
[00106]また、選択されたＬＰＮからＬＤＣＳを受信した後に、選択されたＬＰＮにリンクされたＲＡＣＨ構成を使用して、選択されたＬＰＮにＲＡＣＨメッセージが送信され得、ここにおいて、ＲＡＣＨ構成は、選択されたＬＰＮから受信されたＬＤＣＳ、選択されたＬＰＮから受信されたＬＤＣＳ構成のうちの少なくとも１つにおいて備えられる。選択されたＬＰＮにリンクされたＲＡＣＨ構成を使用することによって、ＵＥは、ＵＥがＲＡＣＨメッセージを用いてどのＬＰＮに到達することを試みているのか、またはＲＡＣＨメッセージがどのＬＰＮを対象とするのかをＬＰＮが理解するようになることを保証する。
【００８８】
[00107]ＲＡＣＨ構成は、特定のＬＰＮのためのＬＤＣＳまたはＬＤＣＳ構成のいずれかにおいてシグナリングされ得る。ＵＥがＲＡＣＨを送信したとき、対象とするＬＰＮが、ＵＥがＲＡＣＨメッセージを介してそれをシグナリングすることを試みていることを知るように、ＲＡＣＨ構成は、グローバルセルＩＤに関係するか、またはそれに結合され得る。
【００８９】
[00108]図１３に、第２のエンティティからの、ＵＥリレーのためのＬＤＣＳ構成の通信の方法１３００の図を示す。随意の態様は破線で示されている。本方法は、ドーマント状態にない別のＬＰＮまたはマクロセルであり得る、第２のエンティティによって実行される。第２のエンティティは、図１２および図１４に関して説明する第２のエンティティに対応し得る。
【００９０】
[00109]ステップ１３０２において、ＵＥリレーを識別する。第２のエンティティはまた、１３０３において、追加のＬＰＮを識別し得る。したがって、第２のエンティティは複数のＬＰＮを識別し、これらの複数のＬＰＮはＵＥリレーを含み得る。１３０４および１３０６に示すように、ＵＥリレーのためのＬＤＣＳ情報は、第２のエンティティによって受信されるか、あるいは第２のエンティティ自体によって構成され得る。ＬＤＣＳ情報が第２のエンティティによって受信されるとき、１３０４においてＬＤＣＳ情報が受信された後に、１３０８において、ＬＤＣＳ構成を送信する。第２のエンティティが１３０６においてＬＤＣＳ構成を構成したとき、第２のエンティティはまた、１３１０において、ＵＥリレーにＬＤＣＳ構成を送信する。
【００９１】
[00110]ＬＤＣＳとＬＤＣＳ構成との送信のための可能なフォーマットは、図１２に関して説明したものと同じであり得る。
【００９２】
[00111]第２のエンティティは、１３１２において、ＵＥリレーに関する経路損失判断を可能にするために、ＵＥリレーの送信電力を、たとえば、ＳＩＢ／ＭＩＢ送信において送信し得る。
【００９３】
[00112]ステップ１３１４において、セルは、ＵＥリレーのＬＤＣＳに関係するＲＡＣＨ遅延を送信し得る。
【００９４】
[00113]１３１６において、セルは、ＵＥリレーのバックホールのためのＤＲＸ／ＤＴＸモードを構成し得る。追加のＬＰＮに関係するＤＲＸ／ＤＴＸモードが構成され得、より良い多重化を行うために、ＵＥリレーと追加のＬＰＮとのためのＤＲＸ／ＤＴＸモードは異なり得る。
【００９５】
[00114]１３１８において、ＵＥのＤＲＸ／ＤＴＸモードを構成し、ＵＥリレーのＤＲＸ／ＤＴＸモードと、ＵＥのＤＲＸ／ＤＴＸモードとは異なり得る。第２のエンティティはまた、ＵＥリレーのためのアクセスリンクＤＲＸ／ＤＴＸ構成に整合するＤＲＸ／ＤＴＸに対してＵＥリレーのためのバックホールを構成し得る。さらに、第２のエンティティは、ＵＥリレーのためのアクセスリンクＤＲＸ／ＤＴＸ構成に整合するＤＲＸ／ＤＴＸに対してＵＥリレーのためのバックホールを構成し得、ＵＥのためのＤＲＸ／ＤＴＸ構成にマッピングするようにバックホールのためのＤＲＸ／ＤＴＸ構成とアクセスリンクＤＲＸ／ＤＴＸ構成とを構成し得る。
【００９６】
[00115]本方法は、ＵＥリレーのためのＬＤＣＳ構成においてＵＥにＲＡＣＨ遅延を送信することをさらに含むことができる。
【００９７】
[00116]ＲＡＣＨ遅延に加えて、ＲＡＣＨ構成が、たとえば、特定のＬＰＮのためのＬＤＣＳ構成において、マクロセルからシグナリングされ得る。ＵＥがＲＡＣＨを送信したとき、対象とするＬＰＮが、ＵＥがＲＡＣＨメッセージを介してそれをシグナリングすることを試みていることを知るように、ＲＡＣＨ構成は、グローバルセルＩＤに関係するか、またはそれに結合され得る。
【００９８】
[00117]これにより、ＵＥは、選択されたＬＰＮからＬＤＣＳを受信した後に、選択されたＬＰＮにリンクされたＲＡＣＨ構成を使用して、複数のＬＰＮの中からの選択されたＬＰＮにＲＡＣＨメッセージを送信することが可能になり、ここにおいて、ＲＡＣＨ構成は、選択されたＬＰＮから受信されたＬＤＣＳと、選択されたＬＰＮから受信されたＬＤＣＳ構成とのうちの少なくとも１つにおいて備えられる。選択されたＬＰＮにリンクされたＲＡＣＨ構成を使用することによって、ＵＥは、ＵＥがＲＡＣＨメッセージを用いてどのＬＰＮに到達することを試みているのか、またはＲＡＣＨメッセージがどのＬＰＮを対象とするのかをＬＰＮが理解するようになることを保証する。
【００９９】
[00118]図１４に、ＵＥリレーにおけるワイヤレス通信の方法１４００の図を示す。随意の態様は破線で示されている。本方法は、本明細書で説明するように、ＬＰＮによって、たとえば、ＵＥリレーによって実行され得る。ステップ１４０８において、ＵＥリレーはドーマント状態に遷移する。１４１０において、ＵＥリレーは、ドーマント状態にある間、ＬＤＣＳを送信する。
【０１００】
[00119]ＬＤＣＳのための可能なフォーマットは、図１２に関して説明した。ＬＤＣＳは、場合によっては、ＬＤＣＳのための送信電力情報を含み得る。
【０１０１】
[00120]ＵＥリレーがドーマント状態にある間、第２のエンティティがＵＥリレーのそのようなＬＤＣＳ構成情報を送信し得るように、ＵＥリレーは、１４１１において、ＬＤＣＳ構成を第２のエンティティに送信し得る。第２のエンティティは、たとえば、ドーマント状態にない別のＬＰＮ、およびマクロセルであり得る。
【０１０２】
[00121]１４１２において、ＵＥリレーは、ＬＤＣＳを送信した後に所定のＲＡＣＨ遅延においてＲＡＣＨメッセージを監視する。所定のＲＡＣＨ遅延は、送信されるＬＤＣＳにおいてまたはＬＤＣＳ構成において備えられ得る。ＬＤＣＳは、ＵＥリレーのためのバックホール品質情報とローディング能力情報とのうちの少なくとも１つをさらに備え得る。
【０１０３】
[00122]ＲＡＣＨ遅延に加えて、ＲＡＣＨ構成が、ＬＤＣＳまたはＬＤＣＳ構成のいずれかにおいてシグナリングされ得る。ＵＥが応答してＲＡＣＨを送信したとき、対象とするＵＥリレーが、ＵＥがＲＡＣＨメッセージを介してそれをシグナリングすることを試みていることを知るように、ＲＡＣＨ構成は、ＵＥリレーのグローバルセルＩＤに関係するか、またはそれに結合され得る。一代替では、ＵＥリレーのためのＲＡＣＨ構成は、第２のエンティティによってＵＥにシグナリングされ得る。
【０１０４】
[00123]ドーマント状態への遷移１４０８は、アクティブ状態から直接行われ得、所定の時間期間の満了に少なくとも部分的に基づいて実行され得る。たとえば、ＵＥリレーは、１４０２において、少なくとも１つの接続されたＵＥを監視し得る。１４０４において、ＵＥリレーは、次いで、いずれかの接続されたＵＥがアクティブであるかどうかを判断し得る。どのＵＥも所定の時間期間の間にアクティブでないと判断されたとき、ＵＥリレーはドーマント状態への遷移を実行する。
【０１０５】
[00124]ＵＥリレーが、接続されたアクティブＵＥを有しないと判断されたとき、ＵＥリレーは、ドーマント状態に遷移する前に、１４０６において、ＤＲＸ／ＤＴＸモードに遷移し得る。したがって、この状況では、ドーマント状態への遷移はＤＲＸ／ＤＴＸモードから実行される。
【０１０６】
[00125]ＬＰＮが、接続されたアクティブＵＥを有しないと判断されたとき、ＵＥリレーは、どの接続されたＵＥもアクティブでないと判断した後に所定の時間期間においてドーマント状態に遷移し得る。
【０１０７】
[00126]ＤＲＸ／ＤＴＸモードに遷移することの一部として、ＵＥリレーは、１４１４において、ＤＲＸ／ＤＴＸモードを少なくとも１つの接続されたＵＥのＤＲＸ／ＤＴＸモードに整合させ得る。ＵＥリレーは、ＤＲＸ／ＤＴＸモードを複数の接続されたＵＥのＤＲＸ／ＤＴＸモードに整合させ得、ここにおいて、接続されたＵＥの各々のためのＤＲＸ／ＤＴＸモードは異なる。ＵＥリレーは、ＤＲＸ／ＤＴＸモードを複数の接続されたＵＥのＤＲＸ／ＤＴＸモードに整合させ得、ここにおいて、接続されたＵＥの各々のためのＤＲＸ／ＤＴＸモードは同じである。ＤＲＸ／ＤＴＸ整合についてＵＥリレーの例を使用して説明したが、そのようなＤＲＸ／ＤＴＸ整合は、別のタイプのＬＰＮのためにも実行され得る。
【０１０８】
[00127]ＤＲＸ／ＤＴＸモードは、ＵＥリレーのアクセスリンクのための構成と、ＵＥリレーのバックホールリンクのための構成とを備え得る。ＵＥリレーのアクセスリンクのための構成は、ＵＥリレーのバックホールリンクの構成と整合し得る。ＵＥリレーのアクセスリンクのための構成はまた、ＵＥリレーのバックホールリンクの構成とは異なり得る。
【０１０９】
[00128]図１５は、例示的な装置１５０２中の異なるモジュール／手段／構成要素間のデータフローを示す概念データフロー図１５００である。本装置はＵＥであり得、図１２に関して説明したステップのいずれかを実行するように構成されたＵＥであり得る。本装置は、受信モジュール１５０４と、監視モジュール１５０６と、選択モジュール１５０８と、送信モジュール１５１０とを含む。
【０１１０】
[00129]受信モジュール１５０４は、第２のエンティティ１５５０ｂ、たとえば、セルまたは別のＬＰＮから、ＵＥリレー１５５０ａのためのＬＤＣＳ構成を受信する。したがって、図示されていないが、ＬＰＮはＲＲＨまたはＵＥリレーなどのＬＰＮを備え得る。監視モジュール１５０６は、受信されたＬＤＣＳ構成に基づいてＵＥリレーからのＬＤＣＳを監視する。ＬＤＣＳは、受信モジュール１５０４によって受信され、受信モジュール１５０４から監視モジュール１５０６に通信される。
【０１１１】
[00130]単一のＵＥリレー１５５０ａおよび第２の１５５０ｂエンティティのみが示されているが、受信モジュール１５０４は、複数のＬＰＮのためのＬＤＣＳ構成を受信し得、これらの複数のＬＰＮはＵＥリレーを含み、監視モジュール１５０６は、受信されたＬＤＣＳ構成に基づいて複数のＬＰＮからの複数のＬＤＣＳを監視し得る。
【０１１２】
[00131]選択モジュール１５０８は、たとえば、対応するＬＰＮのための受信されたバックホール品質情報と、受信されたローディング能力情報と、受信信号強度と、経路損失とのいずれかに基づいて、複数のＬＰＮの間で、ＬＰＮのうちの１つを選択する。この情報は受信モジュールまたは監視モジュールから受信され得る。選択モジュールは、ＵＥにおけるバッファステータスを判断し、ＵＥの判断されたバッファステータスとの組合せで、対応するＬＰＮのための受信されたバックホール品質情報とローディング能力情報とのうちの少なくとも１つに基づいて、複数のＬＰＮのいずれかにアクセスすべきかどうかを判断し得る。
【０１１３】
[00132]送信モジュールは、選択されたＬＰＮからＬＤＣＳを受信した後にＲＡＣＨ遅延において、選択されたＬＰＮに特にＲＡＣＨメッセージを送信する。したがって、選択モジュールからの出力に基づいて、送信モジュールはＲＡＣＨを送信する。さらに、送信モジュール１５１０は、たとえば、監視モジュール１５０６から、送信のためにＲＡＣＨ遅延を受信し得る。ＲＡＣＨ遅延は、ＵＥリレーあるいは第２のエンティティのいずれかからＵＥにシグナリングされ得る。
【０１１４】
[00133]本装置は、図１２の上述のフローチャート中のアルゴリズムのステップの各々を実行する追加のモジュールを含み得る。したがって、図１２の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１５】
[00134]図１６は、処理システム１６１４を採用する装置１５０２’のためのハードウェア実装形態の例を示す図１６００である。処理システム１６１４は、バス１６２４によって概略的に表されるバスアーキテクチャを用いて実装され得る。バス１６２４は、処理システム１６１４の特定の適用例および全体的な設計制約に応じて、任意の数の相互接続バスおよびブリッジを含み得る。バス１６２４は、プロセッサ１６０４によって表される１つまたは複数のプロセッサおよび／またはハードウェアモジュールと、モジュール１５０４、１５０６、１５０８、１５１０と、コンピュータ可読媒体１６０６とを含む様々な回路を互いにリンクする。バス１６２４はまた、タイミングソース、周辺機器、電圧調整器、および電力管理回路など、様々な他の回路をリンクし得るが、これらの回路は当技術分野においてよく知られており、したがって、これ以上説明しない。
【０１１６】
[00135]処理システム１６１４はトランシーバ１６１０に結合され得る。トランシーバ１６１０は、１つまたは複数のアンテナ１６２０に結合される。トランシーバ１６１０は、伝送媒体を介して様々な他の装置と通信するための手段を与える。処理システム１６１４は、コンピュータ可読媒体１６０６に結合されたプロセッサ１６０４を含む。プロセッサ１６０４は、コンピュータ可読媒体１６０６に記憶されたソフトウェアの実行を含む一般的な処理を担当する。ソフトウェアは、プロセッサ１６０４によって実行されたとき、処理システム１６１４に、任意の特定の装置のための上記で説明した様々な機能を実行させる。コンピュータ可読媒体１６０６はまた、ソフトウェアを実行するときにプロセッサ１６０４によって操作されるデータを記憶するために使用され得る。処理システムは、モジュール１５０４、１５０６、１５０８、および１５１０のうちの少なくとも１つをさらに含む。それらのモジュールは、プロセッサ１６０４中で動作するか、コンピュータ可読媒体１６０６中に常駐する／記憶されたソフトウェアモジュールであるか、プロセッサ１６０４に結合された１つまたは複数のハードウェアモジュールであるか、またはそれらの何らかの組合せであり得る。処理システム１６１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１１７】
[00136]一構成では、ワイヤレス通信のための装置１５０２／１５０２’は、第２のエンティティからＵＥリレーのための超低デューティサイクル信号（ＬＤＣＳ）構成を受信するための手段のための手段と、受信されたＬＤＣＳ構成に基づいてＵＥリレーからのＬＤＣＳを監視するための手段と、複数のＬＰＮの間でＬＰＮを選択するための手段と、ＲＡＣＨを送信するための手段とを含む。上述の手段は、上述の手段によって具陳された機能を実行するように構成された、装置１５０２、および／または装置１５０２’の処理システム１６１４の上述のモジュールのうちの１つまたは複数であり得る。上記で説明したように、処理システム１６１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【０１１８】
[00137]図１７は、例示的な装置１７０２中の異なるモジュール／手段／構成要素間のデータフローを示す概念データフロー図１７００である。本装置は、ＵＥリレーのＬＤＣＳ構成を送信する。特に、本装置は、ドーマントモードにない別のＬＰＮ、およびセルであり得る。本装置は、受信モジュール１７０４と、識別モジュール１７０６と、判断モジュール１７０８と、送信モジュール１７１０とを含む。
【０１１９】
[00138]識別モジュール１７０６はＵＥリレー１７５０ａを識別する。送信モジュールは、ＵＥリレー１７５０ａのためのＬＤＣＳ構成をＵＥ１７５０ｂに送信する。ＬＤＣＳ構成は、ＬＤＣＳに関して受信モジュール１７０４において受信されたＬＤＣＳ情報に基づき得、または、それは、装置１７０２自体において判断モジュール１７０８を介して判断され得る。送信モジュールはさらに、装置１７０２がそれ自体でＬＤＣＳ構成を判断したとき、その構成をＵＥリレー１７５０ａに送信する。
【０１２０】
[00139]本装置は、図１３の上述のフローチャート中のアルゴリズムのステップの各々を実行する追加のモジュールを含み得る。したがって、図１３の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１２１】
[00140]図１８は、処理システム１８１４を採用する装置１７０２’のためのハードウェア実装形態の例を示す図１８００である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続バスおよびブリッジを含み得る。バス１８２４は、プロセッサ１８０４によって表される１つまたは複数のプロセッサおよび／またはハードウェアモジュールと、モジュール１７０４、１７０６、１７０８、１７１０と、コンピュータ可読媒体１８０６とを含む様々な回路を互いにリンクする。バス１８２４はまた、タイミングソース、周辺機器、電圧調整器、および電力管理回路など、様々な他の回路をリンクし得るが、これらの回路は当技術分野においてよく知られており、したがって、これ以上説明しない。
【０１２２】
[00141]処理システム１８１４はトランシーバ１８１０に結合され得る。トランシーバ１８１０は、１つまたは複数のアンテナ１８２０に結合される。トランシーバ１８１０は、伝送媒体を介して様々な他の装置と通信するための手段を与える。処理システム１８１４は、コンピュータ可読媒体１８０６に結合されたプロセッサ１８０４を含む。プロセッサ１８０４は、コンピュータ可読媒体１８０６に記憶されたソフトウェアの実行を含む一般的な処理を担当する。ソフトウェアは、プロセッサ１８０４によって実行されたとき、処理システム１８１４に、任意の特定の装置のための上記で説明した様々な機能を実行させる。コンピュータ可読媒体１８０６はまた、ソフトウェアを実行するときにプロセッサ１８０４によって操作されるデータを記憶するために使用され得る。処理システムは、モジュール１７０４、１７０６、１７０８、および１７１０のうちの少なくとも１つをさらに含む。それらのモジュールは、プロセッサ１８０４中で動作するか、コンピュータ可読媒体１８０６中に常駐する／記憶されたソフトウェアモジュールであるか、プロセッサ１８０４に結合された１つまたは複数のハードウェアモジュールであるか、またはそれらの何らかの組合せであり得る。処理システム１８１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。処理システム１８１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１２３】
[00142]一構成では、ワイヤレス通信のための装置１７０２／１７０２’は、ＵＥリレーを識別するための手段のための手段と、少なくとも１つのＵＥリレーのＬＤＣＳ構成を送信するための手段と、ＵＥリレーのためのＬＤＣＳ情報を受信するための手段と、特にＬＤＣＳ構成を判断するための手段とを含む。上述の手段は、上述の手段によって具陳された機能を実行するように構成された、装置１７０２、および／または装置１７０２’の処理システム１８１４の上述のモジュールのうちの１つまたは複数であり得る。上記で説明したように、処理システム１８１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６７５とであり得る。上述の手段はまた、上述の手段によって具陳された機能を実行するように構成された、装置１７０２、および／または装置１７０２’の処理システム１８１４の上述のモジュールのうちの１つまたは複数であり得る。上記で説明したように、処理システム１８１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【０１２４】
[00143]図１９は、例示的な装置１９０２中の異なるモジュール／手段／構成要素間のデータフローを示す概念データフロー図１９００である。本装置は、ＬＰＮ、たとえば、ＵＥリレーであり得る。本装置は、遷移モジュール１９０４と、送信モジュール１９０６と、判断モジュール１９０８と、受信モジュール１９１０と、監視モジュール１９１２とを含む。
【０１２５】
[00144]遷移モジュール１９０４は、ＵＥリレーをドーマント状態などの異なる状態に遷移させる。遷移モジュールはまた、ＵＥリレーをアクティブ状態に、およびＤＲＸ／ＤＴＸ状態に遷移させ得る。送信モジュール１９０６は、ＵＥリレーがドーマント状態にある間、ＬＤＣＳを送信する。監視モジュール１９１２は、たとえば、所定のＲＡＣＨ遅延において、ＲＡＣＨメッセージを監視し、ＵＥリレーに関連するＵＥを監視する。たとえば、監視モジュールは、接続されたＵＥ、およびアクティブＵＥを監視する。判断モジュール１９０８は、ＵＥリレーに対するＵＥの接続および／またはアクティブステータスを判断する。判断モジュールはまた、ＤＲＸ／ＤＴＸモードを他のＤＲＸ／ＤＴＸモードに整合させる。
【０１２６】
[00145]本装置は、図１４の上述のフローチャート中のアルゴリズムのステップの各々を実行する追加のモジュールを含み得る。したがって、図１４の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１２７】
[00146]図２０は、処理システム２０１４を採用する装置１９０２’のためのハードウェア実装形態の例を示す図２０００である。処理システム２０１４は、バス２０２４によって概略的に表されるバスアーキテクチャを用いて実装され得る。バス２０２４は、処理システム２０１４の特定の適用例および全体的な設計制約に応じて、任意の数の相互接続バスおよびブリッジを含み得る。バス２０２４は、プロセッサ２００４によって表される１つまたは複数のプロセッサおよび／またはハードウェアモジュールと、モジュール１９０４、１９０６、１９０８、１９１０、１９１２と、コンピュータ可読媒体２００６とを含む様々な回路を互いにリンクする。バス２０２４はまた、タイミングソース、周辺機器、電圧調整器、および電力管理回路など、様々な他の回路をリンクし得るが、これらの回路は当技術分野においてよく知られており、したがって、これ以上説明しない。
【０１２８】
[00147]処理システム２０１４はトランシーバ２０１０に結合され得る。トランシーバ２０１０は、１つまたは複数のアンテナ２０２０に結合される。トランシーバ２０１０は、伝送媒体を介して様々な他の装置と通信するための手段を与える。処理システム２０１４は、コンピュータ可読媒体２００６に結合されたプロセッサ２００４を含む。プロセッサ２００４は、コンピュータ可読媒体２００６に記憶されたソフトウェアの実行を含む一般的な処理を担当する。ソフトウェアは、プロセッサ２００４によって実行されたとき、処理システム２０１４に、任意の特定の装置のための上記で説明した様々な機能を実行させる。コンピュータ可読媒体２００６はまた、ソフトウェアを実行するときにプロセッサ２００４によって操作されるデータを記憶するために使用され得る。処理システムは、モジュール１９０４、１９０６、１９０８、１９１０、および１９１２のうちの少なくとも１つをさらに含む。それらのモジュールは、プロセッサ２００４中で動作するか、コンピュータ可読媒体２００６中に常駐する／記憶されたソフトウェアモジュールであるか、プロセッサ２００４に結合された１つまたは複数のハードウェアモジュールであるか、またはそれらの何らかの組合せであり得る。処理システム２０１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。処理システム２０１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１２９】
[00148]一構成では、ワイヤレス通信のための装置１９０２／１９０２’は、ドーマント状態に遷移するための手段のための手段と、ドーマント状態にある間、ＬＤＣＳを送信するための手段と、ＬＤＣＳを送信した後に所定のＲＡＣＨ遅延においてＲＡＣＨメッセージを監視するための手段と、少なくとも１つの接続されたＵＥを監視するための手段と、いずれかの接続されたＵＥがアクティブであるかどうかを判断するための手段と、ＵＥリレーのＤＲＸ／ＤＴＸモードを少なくとも１つの接続されたＵＥのＤＲＸ／ＤＴＸモードに整合させるための手段とを含む。上述の手段は、上述の手段によって具陳された機能を実行するように構成された、装置１９０２、および／または装置１９０２’の処理システム２０１４の上述のモジュールのうちの１つまたは複数であり得る。上記で説明したように、処理システム２０１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６７５とであり得る。上述の手段はまた、上述の手段によって具陳された機能を実行するように構成された、装置１９０２、および／または装置１９０２’の処理システム２０１４の上述のモジュールのうちの１つまたは複数であり得る。上記で説明したように、処理システム２０１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【０１３０】
[00149]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１３１】
[00150]以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
[Ｃ１]
ドーマント状態に遷移することと、
前記ドーマント状態にある間、超低デューティサイクル信号（ＬＤＣＳ）を送信することとを備える、ユーザ機器リレー（ＵＥリレー）におけるワイヤレス通信の方法。
[Ｃ２]
第２のエンティティにＬＤＣＳ構成を送信することをさらに備え、ここにおいて、前記第２のエンティティが、ドーマント状態にない低電力ノード（ＬＰＮ）とマクロセルとのうちの１つを備える、Ｃ１に記載の方法。
[Ｃ３]
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、Ｃ１に記載の方法。
[Ｃ４]
前記ＬＤＣＳ構成が前記ＬＤＣＳのための送信電力情報を備える、Ｃ１に記載の方法。
[Ｃ５]
前記ＬＤＣＳを送信した後に所定のＲＡＣＨ遅延においてランダムアクセスチャネル（ＲＡＣＨ）メッセージを監視することをさらに備える、Ｃ１に記載の方法。
[Ｃ６]
前記所定のＲＡＣＨ遅延が、前記送信されるＬＤＣＳと前記ＬＤＣＳ構成のうちの少なくとも１つにおいて備えられる、Ｃ５に記載の方法。
[Ｃ７]
前記ＬＤＣＳと前記ＬＤＣＳ構成とのうちの少なくとも１つがＲＡＣＨ構成をさらに備え、ここにおいて、前記ＲＡＣＨ構成がグローバルセルＩＤに関係する、Ｃ６に記載の方法。
[Ｃ８]
前記ＬＤＣＳが、前記ＵＥリレーのためのバックホール品質情報とローディング能力情報とのうちの少なくとも１つをさらに備える、Ｃ１に記載の方法。
[Ｃ９]
前記ドーマント状態への前記遷移がアクティブ状態から行われ、前記遷移が、所定の時間期間の満了に少なくとも部分的に基づいて実行される、Ｃ１に記載の方法。
[Ｃ１０]
少なくとも１つの接続されたユーザ機器（ＵＥ）を監視することと、
いずれかの接続されたＵＥがアクティブであるかどうかを判断することと、ここにおいて、どのＵＥも前記所定の時間期間の間にアクティブでないと判断されたとき、前記ドーマント状態への前記遷移が実行される、をさらに備える、Ｃ９に記載の方法。
[Ｃ１１]
前記ＵＥリレーのどの接続されたＵＥもアクティブでないと判断することと、
前記ＵＥリレーのどの接続されたＵＥもアクティブでないと判断されたとき、間欠受信および送信（ＤＲＸ／ＤＴＸ）モードに遷移することと、ここにおいて、前記ドーマント状態への前記遷移が前記ＤＲＸ／ＤＴＸモードから実行される、をさらに備える、Ｃ１０に記載の方法。
[Ｃ１２]
どの接続されたＵＥもアクティブでないと判断することをさらに備え、ここにおいて、前記ＵＥリレーが、どの接続されたＵＥもアクティブでないと判断した後に前記所定の時間期間において前記ドーマント状態に遷移する、Ｃ１１に記載の方法。
[Ｃ１３]
前記ＵＥリレーまたは低電力ノード（ＬＰＮ）の前記ＤＲＸ／ＤＴＸモードを少なくとも１つの接続されたＵＥのＤＲＸ／ＤＴＸモードに整合させることをさらに備える、Ｃ１１に記載の方法。
[Ｃ１４]
前記ＵＥリレーまたは低電力ノード（ＬＰＮ）の前記ＤＲＸ／ＤＴＸモードを複数の接続されたＵＥのＤＲＸ／ＤＴＸモードに整合させることをさらに備え、ここにおいて、前記接続されたＵＥの各々のための前記ＤＲＸ／ＤＴＸモードが異なる、Ｃ１１に記載の方法。
[Ｃ１５]
前記ＵＥリレーまたは低電力ノード（ＬＰＮ）の前記ＤＲＸ／ＤＴＸモードを複数の接続されたＵＥのＤＲＸ／ＤＴＸモードに整合させることをさらに備え、ここにおいて、前記接続されたＵＥの各々のための前記ＤＲＸ／ＤＴＸモードが同じである、Ｃ１１に記載の方法。
[Ｃ１６]
前記ＤＲＸ／ＤＴＸモードが、前記ＵＥリレーのアクセスリンクのための構成と、前記ＵＥリレーのバックホールリンクのための構成とを備える、Ｃ１１に記載の方法。
[Ｃ１７]
前記ＵＥリレーの前記アクセスリンクのための前記構成が、前記ＵＥリレーの前記バックホールリンクの前記構成と整合する、Ｃ１６に記載の方法。
[Ｃ１８]
前記ＵＥリレーの前記アクセスリンクのための前記構成が、前記ＵＥリレーの前記バックホールリンクの前記構成とは異なる、Ｃ１６に記載の方法。
[Ｃ１９]
ドーマント状態に遷移するための手段と、
前記ドーマント状態にある間、超低デューティサイクル信号（ＬＤＣＳ）を送信するための手段とを備える、ワイヤレス通信のための装置。
[Ｃ２０]
送信するための前記手段が、第２のエンティティにＬＤＣＳ構成を送信し、ここにおいて、前記第２のエンティティが、ドーマント状態にない低電力ノード（ＬＰＮ）とマクロセルとのうちの１つを備える、Ｃ１９に記載の装置。
[Ｃ２１]
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、Ｃ１９に記載の装置。
[Ｃ２２]
前記ＬＤＣＳ構成が前記ＬＤＣＳのための送信電力情報を備える、Ｃ１９に記載の装置。
[Ｃ２３]
前記ＬＤＣＳを送信した後に所定のＲＡＣＨ遅延においてランダムアクセスチャネル（ＲＡＣＨ）メッセージを監視するための手段をさらに備える、Ｃ１９に記載の装置。
[Ｃ２４]
前記所定のＲＡＣＨ遅延が、前記送信されるＬＤＣＳと前記ＬＤＣＳ構成のうちの少なくとも１つにおいて備えられる、Ｃ２３に記載の装置。
[Ｃ２５]
前記ＬＤＣＳと前記ＬＤＣＳ構成とのうちの少なくとも１つがＲＡＣＨ構成をさらに備え、ここにおいて、前記ＲＡＣＨ構成がグローバルセルＩＤに関係する、Ｃ２４に記載の装置。
[Ｃ２６]
前記ＬＤＣＳが、前記ＵＥリレーのためのバックホール品質情報とローディング能力情報とのうちの少なくとも１つをさらに備える、Ｃ１９に記載の装置。
[Ｃ２７]
前記ドーマント状態への前記遷移がアクティブ状態から行われ、前記遷移が、所定の時間期間の満了に少なくとも部分的に基づいて実行される、Ｃ１９に記載の装置。
[Ｃ２８]
少なくとも１つの接続されたユーザ機器（ＵＥ）を監視するための手段と、
いずれかの接続されたＵＥがアクティブであるかどうかを判断するための手段と、ここにおいて、どのＵＥも前記所定の時間期間の間にアクティブでないと判断されたとき、前記ドーマント状態への前記遷移が実行される、をさらに備える、Ｃ２７に記載の装置。
[Ｃ２９]
判断するための前記手段が、前記ＵＥリレーのいずれかの接続されたＵＥがアクティブであるかどうかを判断し、
前記装置のどの接続されたＵＥもアクティブでないと判断されたとき、遷移するための前記手段が、間欠受信および送信（ＤＲＸ／ＤＴＸ）モードに遷移し、ここにおいて、前記ドーマント状態への前記遷移が前記ＤＲＸ／ＤＴＸモードから実行される、Ｃ２８に記載の装置。
[Ｃ３０]
判断するための前記手段が、いずれかの接続されたＵＥがアクティブであるかどうかを判断し、ここにおいて、前記装置が、どの接続されたＵＥもアクティブでないと判断した後に前記所定の時間期間において前記ドーマント状態に遷移する、Ｃ２９に記載の装置。
[Ｃ３１]
遷移するための前記手段が、前記装置の前記ＤＲＸ／ＤＴＸモードを少なくとも１つの接続されたＵＥのＤＲＸ／ＤＴＸモードに整合させる、Ｃ２９に記載の装置。
[Ｃ３２]
遷移するための前記手段が、前記装置の前記ＤＲＸ／ＤＴＸモードを複数の接続されたＵＥのＤＲＸ／ＤＴＸモードに整合させ、ここにおいて、前記接続されたＵＥの各々のための前記ＤＲＸ／ＤＴＸモードが異なる、Ｃ２９に記載の装置。
[Ｃ３３]
遷移するための前記手段が、前記装置の前記ＤＲＸ／ＤＴＸモードを複数の接続されたＵＥのＤＲＸ／ＤＴＸモードに整合させ、ここにおいて、前記接続されたＵＥの各々のための前記ＤＲＸ／ＤＴＸモードが同じである、Ｃ２９に記載の装置。
[Ｃ３４]
前記ＤＲＸ／ＤＴＸモードが、前記装置のアクセスリンクのための構成と、前記装置のバックホールリンクのための構成とを備える、Ｃ２９に記載の装置。
[Ｃ３５]
前記装置の前記アクセスリンクのための前記構成が、前記装置の前記バックホールリンクの前記構成と整合する、Ｃ３４に記載の装置。
[Ｃ３６]
前記装置の前記アクセスリンクのための前記構成が、前記装置の前記バックホールリンクの前記構成とは異なる、Ｃ３４に記載の装置。
[Ｃ３７]
ドーマント状態に遷移することと、
前記ドーマント状態にある間、超低デューティサイクル信号（ＬＤＣＳ）を送信することと
を行うように構成された処理システム
を備える、ワイヤレス通信のための装置。
[Ｃ３８]
前記処理システムが、
第２のエンティティにＬＤＣＳ構成を送信するようにさらに構成され、ここにおいて、前記第２のエンティティが、ドーマント状態にない低電力ノード（ＬＰＮ）とマクロセルとのうちの１つを備える、Ｃ３７に記載の装置。
[Ｃ３９]
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、Ｃ３７に記載の装置。
[Ｃ４０]
前記ＬＤＣＳ構成が前記ＬＤＣＳのための送信電力情報を備える、Ｃ３７に記載の装置。
[Ｃ４１]
前記処理システムが、
前記ＬＤＣＳを送信した後に所定のＲＡＣＨ遅延においてランダムアクセスチャネル（ＲＡＣＨ）メッセージを監視するようにさらに構成された、Ｃ３７に記載の装置。
[Ｃ４２]
前記所定のＲＡＣＨ遅延が、前記送信されるＬＤＣＳと前記ＬＤＣＳ構成のうちの少なくとも１つにおいて備えられる、Ｃ４１に記載の装置。
[Ｃ４３]
前記ＬＤＣＳと前記ＬＤＣＳ構成とのうちの少なくとも１つがＲＡＣＨ構成をさらに備え、ここにおいて、前記ＲＡＣＨ構成がグローバルセルＩＤに関係する、Ｃ４２に記載の装置。
[Ｃ４４]
前記ＬＤＣＳが、前記装置のためのバックホール品質情報とローディング能力情報とのうちの少なくとも１つをさらに備える、Ｃ３７に記載の装置。
[Ｃ４５]
前記ドーマント状態への前記遷移がアクティブ状態から行われ、ここにおいて、前記遷移が、所定の時間期間の満了に少なくとも部分的に基づいて実行される、Ｃ３７に記載の装置。
[Ｃ４６]
前記処理システムは、
少なくとも１つの接続されたユーザ機器（ＵＥ）を監視することと、
いずれかの接続されたＵＥがアクティブであるかどうかを判断することと、ここにおいて、どのＵＥも前記所定の時間期間の間にアクティブでないと判断されたとき、前記ドーマント状態への前記遷移が実行される、を行うようにさらに構成された、Ｃ４５に記載の装置。
[Ｃ４７]
前記処理システムは、
前記装置のどの接続されたＵＥもアクティブでないと判断することと、
前記装置のどの接続されたＵＥもアクティブでないと判断されたとき、間欠受信および送信（ＤＲＸ／ＤＴＸ）モードに遷移することと、ここにおいて、前記ドーマント状態への前記遷移が前記ＤＲＸ／ＤＴＸモードから実行される、を行うようにさらに構成された、Ｃ４６に記載の装置。
[Ｃ４８]
前記処理システムが、
どの接続されたＵＥもアクティブでないと判断するようにさらに構成され、ここにおいて、前記装置が、どの接続されたＵＥもアクティブでないと判断した後に前記所定の時間期間において前記ドーマント状態に遷移する、Ｃ４７に記載の装置。
[Ｃ４９]
前記処理システムが、
前記装置の前記ＤＲＸ／ＤＴＸモードを少なくとも１つの接続されたＵＥのＤＲＸ／ＤＴＸモードに整合させるようにさらに構成された、Ｃ４７に記載の装置。
[Ｃ５０]
前記処理システムが、
前記装置の前記ＤＲＸ／ＤＴＸモードを複数の接続されたＵＥのＤＲＸ／ＤＴＸモードに整合させるようにさらに構成され、ここにおいて、前記接続されたＵＥの各々のための前記ＤＲＸ／ＤＴＸモードが異なる、Ｃ４７に記載の装置。
[Ｃ５１]
前記処理システムが、
前記装置の前記ＤＲＸ／ＤＴＸモードを複数の接続されたＵＥのＤＲＸ／ＤＴＸモードに整合させるようにさらに構成され、ここにおいて、前記接続されたＵＥの各々のための前記ＤＲＸ／ＤＴＸモードが同じである、Ｃ４７に記載の装置。
[Ｃ５２]
前記ＤＲＸ／ＤＴＸモードが、前記装置のアクセスリンクのための構成と、前記装置のバックホールリンクのための構成とを備える、Ｃ４７に記載の装置。
[Ｃ５３]
前記装置の前記アクセスリンクのための前記構成が、前記装置の前記バックホールリンクの前記構成と整合する、Ｃ５２に記載の装置。
[Ｃ５４]
前記装置の前記アクセスリンクのための前記構成が、前記装置の前記バックホールリンクの前記構成とは異なる、Ｃ５２に記載の装置。
[Ｃ５５]
ドーマント状態に遷移するためのコードと、
前記ドーマント状態にある間、超低デューティサイクル信号（ＬＤＣＳ）を送信するためのコードと
を備えるコンピュータ可読媒体
を備える、コンピュータプログラム製品。
[Ｃ５６]
第２のエンティティにＬＤＣＳ構成を送信するためのコードをさらに備え、ここにおいて、前記第２のエンティティが、ドーマント状態にない低電力ノード（ＬＰＮ）とマクロセルとのうちの１つを備える、Ｃ５５に記載のコンピュータプログラム製品。
[Ｃ５７]
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、Ｃ５５に記載のコンピュータプログラム製品。
[Ｃ５８]
前記ＬＤＣＳ構成が前記ＬＤＣＳのための送信電力情報を備える、Ｃ５５に記載のコンピュータプログラム製品。
[Ｃ５９]
前記ＬＤＣＳを送信した後に所定のＲＡＣＨ遅延においてランダムアクセスチャネル（ＲＡＣＨ）メッセージを監視するためのコードをさらに備える、Ｃ５５に記載のコンピュータプログラム製品。
[Ｃ６０]
前記所定のＲＡＣＨ遅延が、前記送信されるＬＤＣＳと前記ＬＤＣＳ構成のうちの少なくとも１つにおいて備えられる、Ｃ５９に記載のコンピュータプログラム製品。
[Ｃ６１]
前記ＬＤＣＳと前記ＬＤＣＳ構成とのうちの少なくとも１つがＲＡＣＨ構成をさらに備え、ここにおいて、前記ＲＡＣＨ構成がグローバルセルＩＤに関係する、Ｃ６０に記載のコンピュータプログラム製品。
[Ｃ６２]
前記ＬＤＣＳが、前記ＵＥリレーのためのバックホール品質情報とローディング能力情報とのうちの少なくとも１つをさらに備える、Ｃ５５に記載のコンピュータプログラム製品。
[Ｃ６３]
前記ドーマント状態への前記遷移がアクティブ状態から行われ、ここにおいて、前記遷移が、所定の時間期間の満了に少なくとも部分的に基づいて実行される、Ｃ５５に記載のコンピュータプログラム製品。
[Ｃ６４]
少なくとも１つの接続されたユーザ機器（ＵＥ）を監視するためのコードと、
いずれかの接続されたＵＥがアクティブであるかどうかを判断するためのコードと、ここにおいて、どのＵＥも前記所定の時間期間の間にアクティブでないと判断されたとき、前記ドーマント状態への前記遷移が実行される、をさらに備える、Ｃ６３に記載のコンピュータプログラム製品。
[Ｃ６５]
ＵＥリレーのどの接続されたＵＥもアクティブでないと判断するためのコードと、
前記ＵＥリレーのどの接続されたＵＥもアクティブでないと判断されたとき、間欠受信および送信（ＤＲＸ／ＤＴＸ）モードに遷移するためのコードと、ここにおいて、前記ドーマント状態への前記遷移が前記ＤＲＸ／ＤＴＸモードから実行される、をさらに備える、Ｃ６４に記載のコンピュータプログラム製品。
[Ｃ６６]
どの接続されたＵＥもアクティブでないと判断するためのコードをさらに備え、ここにおいて、前記ＵＥリレーが、どの接続されたＵＥもアクティブでないと判断した後に前記所定の時間期間において前記ドーマント状態に遷移する、Ｃ６５に記載のコンピュータプログラム製品。
[Ｃ６７]
前記ＵＥリレーまたは低電力ノード（ＬＰＮ）の前記ＤＲＸ／ＤＴＸモードを少なくとも１つの接続されたＵＥのＤＲＸ／ＤＴＸモードに整合させるためのコードをさらに備える、Ｃ６５に記載のコンピュータプログラム製品。
[Ｃ６８]
前記ＵＥリレーまたは低電力ノード（ＬＰＮ）の前記ＤＲＸ／ＤＴＸモードを複数の接続されたＵＥのＤＲＸ／ＤＴＸモードに整合させるためのコードをさらに備え、ここにおいて、前記接続されたＵＥの各々のための前記ＤＲＸ／ＤＴＸモードが異なる、Ｃ６５に記載のコンピュータプログラム製品。
[Ｃ６９]
前記ＵＥリレーまたは低電力ノード（ＬＰＮ）の前記ＤＲＸ／ＤＴＸモードを複数の接続されたＵＥのＤＲＸ／ＤＴＸモードに整合させるためのコードをさらに備え、ここにおいて、前記接続されたＵＥの各々のための前記ＤＲＸ／ＤＴＸモードが同じである、Ｃ６５に記載のコンピュータプログラム製品。
[Ｃ７０]
前記ＤＲＸ／ＤＴＸモードが、前記ＵＥリレーのアクセスリンクのための構成と、前記ＵＥリレーのバックホールリンクのための構成とを備える、Ｃ６５に記載のコンピュータプログラム製品。
[Ｃ７１]
前記ＵＥリレーの前記アクセスリンクのための前記構成が、前記ＵＥリレーの前記バックホールリンクの前記構成と整合する、Ｃ７０に記載のコンピュータプログラム製品。
[Ｃ７２]
前記ＵＥリレーの前記アクセスリンクのための前記構成が、前記ＵＥリレーの前記バックホールリンクの前記構成とは異なる、Ｃ７０に記載のコンピュータプログラム製品。
【図１】
0006272831.tif 000002
【図２】
0006272831.tif 000003
【図３】
0006272831.tif 000004
【図４】
0006272831.tif 000005
【図５】
0006272831.tif 000006
【図６】
0006272831.tif 000007
【図７】
0006272831.tif 000008
【図８】
0006272831.tif 000009
【図９】
0006272831.tif 000010
【図１０】
0006272831.tif 000011
【図１１】
0006272831.tif 000012
【図１２】
0006272831.tif 000013
【図１３】
0006272831.tif 000014
【図１４】
0006272831.tif 000015
【図１５】
0006272831.tif 000016
【図１６】
0006272831.tif 000017
【図１７】
0006272831.tif 000018
【図１８】
0006272831.tif 000019
【図１９】
0006272831.tif 000020
【図２０】
0006272831.tif 000021